【手続補正書】
【提出日】平成20年2月5日(2008.2.5)
【手続補正１】
【補正対象書類名】明細書
【補正対象項目名】特許請求の範囲
【補正方法】変更
【補正の内容】
【特許請求の範囲】
【請求項１】  プラント設備管理システムにおいて、
処理装置と、
該処理装置に接続され、該処理装置からの信号の受信に応じて、ユーザに対してグラフィカルユーザインタフェースを提供するディスプレイ装置であって、グラフィカルユーザインタフェースが、ディスプレイ装置に同時に表示される第１のウインドウの第１のビューと第２のウインドウの第２のビューとを含む、ディスプレイ装置と、
処理装置に接続され、該グラフィカルユーザインタフェースに関してナビゲートを行いかつ選択を行う選択装置と、
第１のウインドウの第１のビューを第２のウインドウの第２のビューにリンクするリンク手段であって、第１及び第２のビューを同期させて、同時に、第１のビューに複数のプラント位置の階層的ビューを表示し、第２のビューに該プラント位置の少なくとも１つに対応するモデル化された２次元又は３次元ビューを表示する、リンク手段と、
第１及び第２のビューのいずれか１つのビューにおけるプラント位置において、選択装置によってプラント位置の少なくとも１つが選択されることによって、第１及び第２のビューのいずれかにおけるプラント位置を介して図形的にナビゲートするナビゲート手段と、
第１及び第２のビューのいずれかにおけるプラント位置の選択に応答して、これらのビューを同期して変更する手段であって、第１のビューにおける選択されたプラント位置を含んだ階層的ビュー、及び、該ビューに対応するモデル化した第２のビューにおける２次元又は３次元ビューの両者を同時に表示して、産業プラント設備を管理するために、これら２つのビューのいずれかにおける選択に応じて、これら２つのビューを同時に同期してナビゲートする手段と
を備えていることを特徴とするプラント設備管理システム。
【請求項２】  請求項１記載のプラント設備管理システムにおいて、該システムはさらに、第１及び第２のビューの一方において少なくとも１つのプラント位置を作動させることによって、これらビューの両方における少なくとも１つのプラント位置を、１又は複数のプラント位置に同期して拡張する手段を備えていることを特徴とするプラント設備管理システム。
【請求項３】  請求項２記載のプラント設備管理システムにおいて、プラント位置の表示は、オブジェクト設備、器具設備、知識設備を含んでいることを特徴とするプラント設備管理システム。
【請求項４】  プラント設備管理システムにおいて、
機械類を含んでいる複数のプラント設備に接続され、設備データを検出する複数のセンサと、
複数のセンサに接続され、該センサからの設備データを受取って処理するデータ取得手段と、
データ取得手段に付随し、処理済みの設備データを格納するデータベースと、
データ取得手段及びデータベースに接続され、コンピュータのディスプレイ上に表示を行うグラフィカルユーザインタフェースと、
コンピュータに接続され、グラフィカルユーザインタフェースに関してナビゲートする選択装置であって、グラフィカルユーザインタフェースは、コンピュータのディスプレイ上の第１のウインドウに階層的に表示される複数のプラント設備の第１のビューと、該ディスプレイ上の第２のウインドウに表示される、これらプラント設備の少なくとも１つをモデル化した２次元又は３次元の第２のビューとを含み、かつ、該ディスプレイ上の第３のウインドウに表示される少なくとも１つのプロットからなる第３のビューを含んでいる、選択装置と、
第１のビューを該第２のビューとリンクさせる手段であって、第１及び第２のビューを同期させて、同時に、第１のウインドウに複数のプラント設備の階層的な第１のビューを表示し、第２のウインドウに該プラント設備の少なくとも１つに対応するモデル化された２次元又は３次元の第２のビューを表示する、リンク手段と、
第１及び第２のビューのいずれか１つのビューにおけるプラント設備において、選択装置によって第１及び第２のビューのいずれかにおけるプラント設備の少なくとも１つが選択されることによって、第１及び第２のビューのいずれかにおけるプラント設備を介して図形的にナビゲートするナビゲート手段と、
第１及び第２のビューのいずれかにおける選択に応答して、第１、第２及び第３のビューを同期して変更する手段であって、同時に、第１のウインドウに選択されたプラント設備を含んだ階層的な第１のビューを表示し、第２のウインドウに該ビューに対応するモデル化した２次元又は３次元の第２のビューを表示し、第３のウインドウに選択されたプラント設備に関連する設備データをプロットした少なくとも１つのプロットからなる第３のビューを表示して、産業プラント設備を管理するために、第１及び第２のビューのいずれかにおける選択に応じて、第１、第２及び第３のビューを同時に同期してナビゲートする手段と
を備えていることを特徴とするプラント設備管理システム。
【請求項５】  請求項４記載のプラント設備管理システムにおいて、リンク手段は第１のオブジェクトを備え、該第１のオブジェクトは、第２のオブジェクトからナビゲーションコマンドを受け取り、ナビゲーションコマンドを第３のオブジェクトに送信して、第１のビューを第２のビューに同期的にリンクさせることにより、選択装置によって、第１及び第２のビューのいずれかの複数のプラント設備の１つが選択された結果、同時に、第１のウインドウに選択されたプラント設備を含む階層的なプラント設備の第１のビューを表示し、第２のウインドウに該選択されたプラント設備を少なくとも含むモデル化された２次元又は３次元の第２のビューを表示することを特徴とするプラント設備管理システム。
【請求項６】  請求項４記載のプラント設備管理システムにおいて、該システムはさらに、複数の棒グラフをグラフィカルに表示する棒グラフビューを表示する、第１のビューと同期的にリンクされるグラフィカルユーザインタフェースの第４のビューを含み、該棒グラフのうちの少なくとも１つは、選択されたプラント設備のステータスを表していることを特徴とするプラント設備管理システム。
【請求項７】  請求項４記載のプラント設備管理システムにおいて、該システムはさらに、少なくとも選択されたプラント設備のトレンドプロットを表示する、第１のビューと同期的にリンクされるグラフィカルユーザインタフェースの第４のビューを含んでいることを特徴とするプラント設備管理システム。
【請求項８】  請求項４記載のプラント設備管理システムにおいて、少なくとも選択されたプラント設備の処理された設備データは、グラフィカルインタフェースの第３のビューに、１又は複数の図形的なプロットとして表示されることを特徴とするプラント設備管理システム。
【請求項９】  プラント設備を管理する方法において、
機械装置を含むプラント設備に接続された複数の測定機器から設備データを収集し処理するステップと、
処理済みの設備データを記憶媒体に格納するステップと、
グラフィカルユーザインタフェースを有するコンピュータ手段を介して記憶媒体とインタフェースするステップと、
プラント設備を表す階層オブジェクトを含む階層的な第１のビューをグラフィカルユーザインタフェース上に表示するステップと、
プラント設備を表す図形的オブジェクトを含む図形的なオブジェクトの第２のビューをグラフィカルインタフェース上に表示するステップと、
第１及び第２のビューのいずれかに表示された少なくとも１つのオブジェクトとインタフェースするステップと、
第１及び第２のビューのいずれかに表示された少なくとも１つのオブジェクトとのインタフェースに応答して、第１のビューの図形的オブジェクトを第２のビューの階層的オブジェクトと同期して変更するステップであって、インタフェースされた少なくとも１つのオブジェクトを含む、階層的オブジェクトの第１のビューと該少なくとも１つのオブジェクトのモデル化された図形的オブジェクトの第２のビューとを同時に表示し、第１及び第２のビューのいずれかに表示された少なくとも１つのオブジェクトとのインタフェースに応答して、第１及び第２のビューを同期してナビゲートするステップと、
第１及び第２のビューのいずれかにおいてインタフェースされた少なくとも１つのオブジェクトによって表された少なくとも１つのプラント設備を管理するために、該オブジェクトに関連する処理された設備データの少なくとも一部にアクセスしてグラフィカルインタフェース上に表示するステップと
からなることを特徴とする方法。
【請求項１０】  プラント設備管理システムにおいて、
プラント設備に接続され、該プラント設備から設備データを受取り処理するデータ取得手段と、
データ取得手段に接続され、処理済みの設備データを格納するデータベースと、
データベースに接続され、コンピュータのディスプレイ上に表示を行うグラフィカルユーザインタフェースと、
グラフィカルユーザインタフェースに階層的に表示され、かつプラント設備を表すプラント設備オブジェクトの第１のウインドウビューと、
処理済みのデータをプラント設備オブジェクトと相関させる手段と、
プラント設備に対する警報パラメータをコンフィギュレーションして該パラメータをデータベースに格納する手段と、
警報状態にあるプラント設備を確定するために、警報パラメータをプラント設備オブジェクトと相関された処理済みのデータに適用する手段と、
警報状態にあるプラント設備の少なくとも１つに関連するプラント設備オブジェクトのそれぞれに色強調表示することによって、警報状態にあるプラント設備に視覚的色付フィードバックを提供する手段と、
色強調表示されたプラント設備オブジェクトを対話的に拡張することによって、階層的に表示されたプラント設備オブジェクトを介して、警報状態にあるプラント設備の少なくとも１つを表すプラント設備オブジェクトをナビゲートして、該プラント設備オブジェクトに視覚的色付フィードバックが追従されるようにした手段と
からなることを特徴とするプラント設備管理システム。
【請求項１１】  請求項１０記載のプラント設備管理システムにおいて、該システムはさらに、警報パラメータに対して重大度レベルを画定する手段と、異なる重大度レベルに異なる色を関連付けることにより、警報状態にある少なくとも１つのプラント設備と関連する色強調表示されたプラント設備オブジェクトが、該警報パラメータに対する該画定された重大度レベルに基づいて色コード化されるようにする手段とを備えていることを特徴とするプラント設備管理システム。
【請求項１２】  請求項１０記載のプラント設備管理システムにおいて、該システムはさらに、複数の異なるセットポイント値を画定し、該複数の異なるセットポイント値それぞれに対して重大度レベルを画定する手段を含んでいることを特徴とするプラント設備管理システム。
【請求項１３】  請求項１２記載のプラント設備管理システムにおいて、該システムはさらに、複数の異なる重大度レベルの各々に対し特定の色を画定する手段を含んでいることを特徴とするプラント設備管理システム。
【請求項１４】  請求項１３記載のプラント設備管理システムにおいて、該システムはさらに、いずれかの設備データが複数の異なるセットポイント値を超過するか否かを判断するために複数の異なるセットポイント値を設備データに適用する手段と、複数のセットポイント値の各々を超過する設備データに対する重大度レベル色の各々に相関する視覚的フィードバックを、グラフィカルユーザインタフェースを介してユーザに提供する手段を含んでいることを特徴とするプラント設備管理システム。
【請求項１５】  プラント設備管理システムにおいて、
複数のプラント設備に接続され、設備データを受取り処理するデータ取得手段と、
データ取得手段に接続され、処理済みの設備データを格納するデータベースと、
データベースに接続され、コンピュータのディスプレイに表示を行うグラフィカルユーザインタフェースであって、第１のウインドウビューにおいて複数のプラント設備を表す複数のプラント設備オブジェクトを表示するグラフィカルユーザインタフェースと、
データベースからの処理済みの設備データにアクセスするために複数のプラント設備オブジェクトとインタフェースする手段と、
アクセスされたデータの複数のデータセットであって、各データセットとともに表示されるカーソルを含む複数のデータセットを、グラフィカルユーザインタフェース上に表示する手段と、
複数のデータセットの１つにおける１つのカーソルを、複数のデータセットの他のものにおける他のカーソルと同期させ、複数のデータセットの１つにおける第１のカーソルを第１のパラメータへ移動させることにより、自動的に、第１のパラメータに相関する複数のデータセットの他のものにおける他のカーソルを第２のパラメータへ同期的に移動するための同期手段と
を具備することを特徴とするプラント設備管理システム。
【請求項１６】  請求項１５記載のプラント設備管理システムにおいて、複数のデータセットは、アクセスされたデータのグラフィカルプロットであることを特徴とするプラント設備管理システム。
【請求項１７】  請求項１５記載のプラント設備管理システムにおいて、第１のパラメータ及び第２のパラメータは、サンプルパラメータであるであることを特徴とするプラント設備管理システム。
【請求項１８】  請求項１５記載のプラント設備管理システムにおいて、第１のパラメータ及び第２のパラメータは、時間パラメータであることを特徴とするプラント設備管理システム。
【請求項１９】  請求項１５記載のプラント設備管理システムにおいて、第１のパラメータ及び第２のパラメータは、ＲＰＭパラメータであることを特徴とするプラント設備管理システム。
【請求項２０】  プラント設備管理システムにおいて、
複数のプラント設備に接続され、設備データを受取り処理するデータ取得コンピュータと、
該データ取得コンピュータに接続され、処理済みの設備データを格納するデータベースと、
データベースに接続され、コンピュータのディスプレイに表示を行うグラフィカルユーザインタフェースであって、第１のウインドウビューに複数のプラント設備を表す複数のプラント設備オブジェクトを表示するグラフィカルユーザインタフェースと、
データベースからの処理済みの設備データにアクセスするために複数のプラント設備オブジェクトとインタフェースする手段と、
グラフィカルユーザインタフェースにアクセスされたデータの第１のグラフィカルプロットを表示し、かつデータベースに該プロットを格納する手段と、
グラフィカルユーザインタフェースにアクセスされたデータの後続するグラフィカルプロットを表示し、後に見ることができるプロットセッションを画定するために、該後続するグラフィカルプロットをデータベースに格納する手段と
を具備することを特徴とするプラント設備管理システム。
【請求項２１】  請求項２０記載のプラント設備管理システムにおいて、該システムはさらに、第１のウインドウビューに複数のプラント設備オブジェクトを表示すると同時に、グラフィカルユーザインタフェース上の第２のウインドウビューにプロットセッションとその中のプロットとのグラフィカルマップを表示する手段を含んでいることを特徴とするプラント設備管理システム。
【請求項２２】  請求項２０記載のプラント設備管理システムにおいて、第１のグラフィカルプロットは、プロットグループを画定する複数の個別のプロットを含むことを特徴とするプラント設備管理システム。
【請求項２３】  請求項２０記載のプラント設備管理システムにおいて、後続するグラフィカルプロットのうちの少なくとも１つは、プロットグループを画定するための複数の個別のプロットを含んでいることを特徴とするプラント設備管理システム。
【請求項２４】  請求項２０記載のプラント設備管理システムにおいて、第１のグラフィカルプロットと後続するグラフィカルプロットの少なくとも１つとは、複数のプロットグループを画定するための複数の個別のプロットを含んでいることを特徴とするプラント設備管理システム。
【請求項２５】  プラント設備を管理する方法において、
グラフィカルユーザインタフェース上に表示される階層的オブジェクトの少なくとも１つのオブジェクトから、異常な設備ステータスと相関する視覚的色付フィードバックを取得するステップと、
該異常な設備ステータスの原因を確定するために、階層的オブジェクトにおいて視覚的色付フィードバックを提供するオブジェクトを反復的に拡張することによって、グラフィカルインタフェース上で表示された階層的オブジェクトを介してナビゲートするステップと
を含むことを特徴とするプラント設備管理方法。
【請求項２６】  プラント設備管理システムにおいて、
複数のプラント設備に接続され、プラント設備データを検知する複数のトランスデューサと、
各々が該トランスデューサの少なくとも１つと接続され、検知されたプラント設備データを処理する、オンライン及びオフライン両方のデータ取得機器を含む複数の異なるデータ取得機器と、
各々が該異なるデータ取得機器の少なくとも１つに接続され、該異なるデータ取得機器からプラント設備データをオンライン及びオフラインの両方で収集する複数のデータコレクタモジュールと、
データコレクタモジュールに接続され、オンライン及びオフラインで収集されたプラント設備データを格納するデータベースと、
データベースに接続されたグラフィカルユーザインタフェースであって、コンピュータのディスプレイ上の第１のウインドウに階層的に表示される複数のプラント設備の第１のビューと、該ディスプレイ上の第２のウインドウに表示される、これらプラント設備の少なくとも１つをモデル化した２次元又は３次元の第２のビューとを含んでいるグラフィカルユーザインタフェースと、
コンピュータに接続され、グラフィカルユーザインタフェースに関してナビゲートする選択装置と、
第１のビューを第２のビューとリンクさせる手段であって、第１及び第２のビューを同期させて、同時に、第１のウインドウに複数のプラント設備の階層的な第１のビューを表示し、第２のウインドウに該プラント設備の少なくとも１つに対応するモデル化された２次元又は３次元の第２のビューを表示する、リンク手段と、
選択装置によって第１及び第２のビューのいずれかにおけるプラント設備の少なくとも１つが選択されることによって、第１及び第２のビューのいずれかにおけるプラント設備を介して図形的にナビゲートするナビゲート手段と、
第１及び第２のビューのいずれかにおける選択に応答して、第１及び第２のビューを同期して変更する手段であって、同時に、第１のウインドウに選択されたプラント設備を含んだ階層的な第１のビューを表示し、第２のウインドウに該ビューに対応するモデル化した２次元又は３次元の第２のビューを表示して、第１及び第２のビューのいずれかにおける選択に応じて、第１及び第２のビューを同時に同期してナビゲートする手段と、
第１及び第２のビューのいずれかにおける選択に応じて、少なくとも１つの選択されたプラント設備に関連するオンライン及びオフライン両方の格納データを含む格納データにアクセスする手段と、
グラフィカルユーザインタフェース上に、プラント設備を管理するために、第１及び第２のビュー、並びに、選択されたプラント設備に関連するオンライン及びオフライン両方の格納データを含むアクセスされた格納データの少なくとも一部分を同時に表示する手段と
を具備することを特徴とするプラント設備管理システム。